(57)【特許請求の範囲】
【請求項１】
マストを起立させたスライドガイドと、スライドガイドを摺動する押え具とを備え、スライドガイドと押え具との間に取付部材を挟持するようにしたアンテナ取付具であって、スライドガイドに複数個の切り込みを刻設し、押え具に装着したボルトの先端にナット板を螺着し、取付部材の厚さに応じて押え具を摺動させ前記ナット板を適宜箇所の切り込みに係合させて螺締するようにしたアンテナ取付具。
【請求項２】
スライドガイドおよび押え具の高さを格子間の間隔より狭く、スライドガイドに設けたベース板の幅および押え具に設けた押え板の幅を格子間距離より長く設定した請求項１記載のアンテナ取付具。
【請求項３】
取付部材を挟持する押え板のボルトをベース板および押え板の上方に配置させた請求項２記載のアンテナ取付具。
【発明の詳細な説明】
【０００１】
【発明の属する技術分野】
本発明は、アンテナ取付具に関し、アンテナ設置作業時間の短縮を図り、高所等の作業時に部品の落下を防止し、手摺の笠木や格子あるいはコンクリート手摺にも取付けできる取付箇所選択の自由度を高めたアンテナ取付具に関するものである。
【０００２】
【従来の技術】
衛星放送受信用パラボラアンテナ１００は、図６に示すように、パラボラ反射鏡１０１を、その裏面に取付けたマウント１０２とマスト押え具１０３とによりマスト１０４の先端に取付けられている。上記衛星放送受信用パラボラアンテナ１００を取付けるアンテナ取付具１２０はマスト１０４、ベース板１０５および押え板１０６で構成されている。
【０００３】
このマスト１０４基端にはベース板１０５を固着させ、このベース板１０５と押え板１０６とによりベランダ手摺の格子１０７を挟持し、ボルト１０８、スプリングワッシャ１０９、平ワッシャ１１０によりアンテナ取付具１２０を格子１０７に固定している。なお、符号１１１は一次放射器付コンバータ、１１２は支持アームであり、符号１１３は手摺の笠木である。
【０００４】
【発明が解決しようとする課題】
上記の従来のアンテナ取付具１２０は、格子１０７に取付ける際、ベース板１０５からボルト１０８、スプリングワッシャ１０９、平ワッシャ１１０を取り外す必要があるため、分離した構造となっていた。それで、部品の落下や紛失の可能性が高く、作業性も悪いものであった。また、このアンテナ取付具では笠木１１３への取付けはできず、取付箇所選択の自由度は低いものであった。
【０００５】
【課題を解決するための手段】
そこで、本発明は、上記の事情に鑑み、アンテナ設置作業時間の短縮を図り、高所等での作業時に部品の落下を防止し、手摺の笠木や格子あるいはコンクリート手摺にも取付けできる取付箇所選択の自由度を高めたアンテナ取付具を提供すべく、マストを起立させたスライドガイドと、スライドガイドを摺動する押え具とを備え、スライドガイドと押え具との間に取付部材を挟持するようにしたアンテナ取付具であって、スライドガイドに複数個の切り込みを刻設し、押え具に装着したボルトの先端にナット板を螺着し、取付部材の厚さに応じて押え具を摺動させ前記ナット板を適宜箇所の切り込みに係合させて螺締するようにしたアンテナ取付具とした。
【０００６】
また、本発明は、ベランダ手摺に取付可能とすべく、スライドガイドおよび押え具の高さを格子間の間隔より狭く、スライドガイドに設けたベース板の幅および押え具に設けた押え板の幅を格子間距離より長く設定した。
【０００７】
さらに、本発明は、具体的には、取付部材を挟持する押え板のボルトをベース板および押え板の上方に配置させたアンテナ取付具とした。
【０００８】
【発明の実施の態様】
本発明を、添付する図面に示す具体的一実施例に基づいて、以下詳細に説明する。
【０００９】
図１および図２に示すように、基板１の両側からそれぞれ側壁２を下方へ垂設したスライドガイド３に、押え具４を摺動自在に設ける。
【００１０】
押え具４は先端を直角状に屈曲させ取付部材を後述するベース板８とで押さえる押え板５を形成する。
【００１１】
図２・図３に示すように、押え具４の両側を下方に屈曲させてフランジ６を形成し、スライドガイド３側壁２から内方へ水平状に折り曲げた支持片７上に前記フランジ６を支持させ、押え具４をスライドガイド３に対して摺動自在に設けている。
【００１２】
基板１の端面１ａにはスライドガイド３の押え具４の押え板５に対向する箇所に、スライドガイド３本体より広幅のベース板８を固着する。このベース板８に対向する押え板５の幅もほぼ同様の大きさに設定する。
【００１３】
押え具４の押え板５の上部に２本のボルト９を摺動自在に挿入し、その先端にナット板１０を螺着する。
【００１４】
スライドガイド３の側壁２には前記ナット板１０が係合する切り込み１１を複数個（図１では３個）刻設する。
【００１５】
このアンテナ取付具は、スライドガイド３に押え具４が摺動自在に設けられ、ナット板１０を螺着したボルト９が押え具４に装着されており、ベランダの格子や笠木に取付ける際、部品を分離させる必要がないので、高所等での作業時に部品を落下させる危険もなく、部品の紛失のおそれもなく、取付作業性も良い。
【００１６】
このアンテナ取付具を取付部材たとえばベランダ手摺の格子に取付ける場合は、押え板５とベース板８とを適宜間隔に開かせ、図１のアンテナ取付具の水平状の押え板５およびベース板８を垂直状になるまで回転させ、その状態で格子間に挿入させ、格子が押え板５とベース板８との間に至った時停止させ、このアンテナ取付具を図４に示すように、９０°回転させて押え板５とベース板８とを水平状にする。
【００１７】
その後、押え具４を摺動させてナット板１０を適宜箇所の切り込み１１に係合させて、ボルト９をナット板１０にねじ込んで固定する。この状態で図４に示すように、破線で表す格子２２，２２を押え板５とベース板８とで挟持している。ナット板１０を適宜箇所の切り込み１１に係合させるようにしたので、ボルト９を全長にわたりねじ込む必要はなく、先端部のみをねじ込むようにしたので、作業性が良くなる。
【００１８】
ナット板１０を切り込み１１に係合させた際、ナット板１０が落下しないように爪片１２が突設してある。
【００１９】
基板１の先端には、円弧板１３を起立させ、マスト１４の基端を円弧板１３とクランプ板１５とで挟持させ、ボルト１６で螺締し、マスト１４の先端には衛星放送受信用パラボラアンテナなどを取付ける。なお、マストを基板１の上面に溶着等で固着してもよい。
【００２０】
アンテナ取付具を取付部材、たとえばベランダ手摺の笠木２１に取付ける場合、図５に示すようにして行う。ベース板８と押え板５とで笠木２１を挟みボルト９をねじ込むことにより取付固定することができる。この時、ボルト９は笠木２１よりも上方に配置しているので、ボルト９が笠木２１にて当接することはない。なお、符号２２は格子である。このアンテナ取付具は取付部材の厚さがかなり変化しても取付具４を摺動させナット板１０の位置を変更させるだけで取付けが可能で、取付け箇所選択の自由度が高まる。なお、ボルト９は押え板５とベース板８の上方に設けたが、笠木や格子に取付ける際、当接しない位置であればよい。
【００２１】
【発明の効果】
本発明は、上述のように、マストを起立させたスライドガイドと、スライドガイドを摺動する押え具とを備え、スライドガイドと押え具との間に取付部材を挟持するようにしたアンテナ取付具であって、スライドガイドに複数個の切り込みを刻設し、押え具に装着したボルトの先端にナット板を螺着し、取付部材の厚さに応じて押え具を摺動させ前記ナット板を適宜箇所の切り込みに係合させて螺締するようにしたアンテナ取付具であるので、アンテナ設置作業時間の短縮を図り、高所等の作業時に部品の落下を防止し、手摺の笠木や格子あるいはコンクリート手摺にも取付けできる取付箇所選択の自由度を高めた。
【００２２】
また、本発明は、ベランダ手摺に取付可能とすべく、スライドガイドおよび押え具の高さを格子間の間隔より狭く、スライドガイドに設けたベース板の幅および押え具に設けた押え板の幅を格子間距離より長く設定したアンテナ取付具であるので、部品をバラバラにして作業を行う必要がなく、部品の落下や紛失のおそれもなく、作業性に優れている。
【００２３】
さらに、本発明は、具体的には、取付部材を挟持する押え板のボルトをベース板および押え板の上方に配置させたアンテナ取付具であるので、ボルトが取付部材に当接せず、確実に挟持することができる。
【図面の簡単な説明】
【図１】本発明のアンテナ取付具の具体的一実施例の斜視図である。
【図２】図１の横断面図である。
【図３】図１の縦断面図である。
【図４】図１のナット板が切り込みから係合が外れた状態の斜視図である。
【図５】図１のアンテナ取付具をベランダ手摺の笠木に装着した状態の側面図である。
【図６】従来のアンテナ取付具をベランダ手摺の格子に装着する状態の分解斜視図である。
【符号の説明】
１…基板
２…側壁
３…スライドガイド
４…押え具
５…押え板
６…フランジ
７…支持片
８…ベース板
９…ボルト
１０…ナット板
１１…切り込み
１２…爪片
１３…円弧片
１４…マスト
１５…クランプ板
１６…ボルト
２１…笠木
２２…格子
【図１】
0004466892.tif 000002
【図２】
0004466892.tif 000003
【図３】
0004466892.tif 000004
【図４】
0004466892.tif 000005
【図５】
0004466892.tif 000006
【図６】
0004466892.tif 000007